(57)【要約】      （修正有）【課題】キーボードを使用しないときキーボードをフックに置くだけで、キーボードがモニターに傾き立掛けられ、立掛けたキーボードがずり落ちることもないフックを提供する。【解決手段】本フックの巾はモニターの外枠の巾以内とし、高さは、本フックをモニターの外枠に両面テープ３で貼り付け、キーボードをフックに置いたとき、キーボードの重さでフックが剥がれ落ちない粘着力が得られる接着面積が確保できる高さとし、キーボードを本フックに置いたときに、キーボードがモニター画面側に自然に傾くように、キーボードの設置位置がモニター画面から垂直距離でキーボードの最大巾より離れるように誘導傾斜面１を設けることとし、本フックに置いたキーボードが本フックから落ちないようにするため、モニター面に対し鋭角とした受け面２を有することを特徴とする。【選択図】図３
0003169764.tif 000002
【実用新案登録請求の範囲】
【請求項１】
デスクトップパソコンのキーボードを使用しないとき、キーボードをモニターに立掛け机上の作業スペースを確保するためのフックにおいて、（１）本考案フックの巾はモニターの外枠の巾以内とし、（２）高さは、本考案フックをモニターの外枠に両面テープで貼り付け、キーボードを本考案フックに置いたとき、キーボードの重さで本アイデアフックが剥がれ落ちない粘着力が得られる接着面積が確保できる高さとし、（３）キーボードを本考案フックに置いたときに、キーボードがモニター画面側に自然に傾くように、キーボードの設置位置がモニター画面から垂直距離でキーボードの最大巾より離れるように誘導傾斜面を設けることとし、（４）本考案フックに置いたキーボードが本考案フックから落ちないようにするため、モニター面に対し鋭角とした受け面を有することを特徴としたキーボードをモニターに立掛けるためのフック。
【考案の詳細な説明】
【技術分野】
【０００１】  本考案は、デスクトップパソコンのキーボードを使用しないとき、机上の掃除や作業スペースを確保するため、キーボードをモニターに立掛けるためのフックに関するものである。
【背景の技術】
【０００２】  デスクトップパソコンにおいて、キーボードは使用者前面のほとんどの机上作業スペースを占有し、キーボードを使用しない他の作業をするときや机上の拭き掃除をするときなどは邪魔な存在である。また、キーボードを机上に置いたまま入力以外の作業をすると書類などがのったり接触することで、誤操作を起こしてしまうことも多い。そこで、キーボードを使用しない作業において、机上の作業スペースの確保と他の作業の邪魔にならないようにする為、これまで幾つかの考案もなされている。例として、キーボードをモニター側面に収納するもの（例えば実開平４−１２３４１６）、モニター外枠の両端にキーボードを取り付け取り外しが自由に行なえるためフックを設けたもの（例えば特開２０００−１９４４７８）等が考案されている。
【特許文献１】実開平４−１２３４１６
【特許文献２】特開２０００−１９４４７８
【考案の開示】
【考案の解決しようとする課題】
【０００３】デスクトップパソコンにおいて、キーボードは使用者前面のほとんどの机上作業スペースを占有し、キーボードを使用しない他の作業をするときや机上の拭き掃除をするときなどは邪魔な存在である。また、キーボードを机上に置いたまま入力以外の作業をすると書類などがのったり接触することで、誤操作を起こしてしまうことも多い。そこで、キーボードを使用しない場合において、キーボードが他の作業の邪魔になってしまう欠点を解決しようとするものである。
【課題を解決するための手段】
【０００４】  前記課題を解決するために、本考案フックの巾（Ａ）はモニターの外枠の巾以内とし、高さ（Ｂ）は、本考案フックをモニターの外枠に両面テープ（３）で貼り付け、キーボードを本考案フックに置いたとき、キーボードの重さで本アイデアフックが剥がれ落ちない粘着力が得られる接着面積が確保できる高さとし、キーボードを本考案フックに置いたときに、キーボードがモニター画面側に自然に傾くように、キーボードの設置位置がモニター画面から垂直距離でキーボードの最大巾より離れるように誘導傾斜面（１）を設けることとし、本考案フックに置いたキーボードが本考案フックから落ちないようにするため、モニター面に対し鋭角とした受け面（２）を有することを特徴とする。
【０００５】  本発明の形状は、溶融樹脂等を図（３）のように成形した形状を特徴とする。
【０００６】  本発明の形状はまた、金属や樹脂等の細長い平板状のものを図（４）及び図（５）のように折り曲げて成形した形状を特徴とする。
【０００７】  本発明の形状はまた、キーボードを置く受け面（２）を図（６）のように折りたためるようにすることを特徴とする。
【考案の効果】
【０００８】  本考案フックは、モニターの外枠に簡単に貼り付けられることと、キーボードを使用しないときキーボードを本考案フックに置くだけで、キーボードがモニターに傾き立掛けられる。また、立掛けたキーボードが本考案フックからずり落ちることもない。更に、キーボードを使用したいときは、モニターから簡単におろせられる。
【０００９】  キーボードを使用しないとき、キーボードをモニターに立掛けることで、机上の作業スペースを広くできるため、入力作業以外の作業や拭き掃除がしやすくなる。また、キーボードを置いたまま、他の作業をするとその作業の書類や道具がキーボードのキーに当たったり、押えたりすることで起きる誤操作を回避することができる。
【００１０】  本考案フックを金属や樹脂系の平板を折り曲げて形状を成形するとした場合、既存の材料と設備で行なえるため、成形用の金型を作成する費用を節約できる。
【考案を実施するための最良な形態】
【００１３】本考案フックの巾（Ａ）はモニターの外枠の巾以内とするため１ｃｍとし、高さ（Ｂ）は、本アイデアフックをモニターの外枠に両面テープ（３）で貼り付けキーボードを本考案フックに置いたときに、キーボードの重さで本考案フックが剥がれ落ちない粘着力が得られ、見た目にも安心感をもてるような接着面積を確保するため１０ｃｍとし、キーボードを本考案フックに置いたときに、キーボードがモニターに自然に傾くように、キーボードの設置位置がモニター面から垂直距離でキーボードの最大巾より離れるようにするための設置誘導傾斜面（１）は７ｃｍとし、設置したキーボードが本考案フックから落ちないようにするため、モニター面に対し鋭角にした受け面（２）は３ｃｍとした図３の形状。
【図面の簡単な説明】
【００１４】
【図１】溶融樹脂等により成形した本考案フックの正面図
【図２】溶融樹脂等により成形した本考案フックの側面図
【図３】溶融樹脂等により成形した本考案フックの斜視図
【図４】硬質な金属等の細長い平板を折り曲げて成形した本考案フックの側面図
【図５】硬質でない樹脂等の細長い平板を折り曲げて成形した本考案フックの側面図
【図５】受け面を折りたためるようにした本考案フックの側面図。
【図６】本考案フックをモニターに取り付けキーボードを置いた状態のモニターの正面図
【図７】本考案フックをモニターに取り付けキーボードを置いた状態のモニターの側面図
【符号の説明】
【００１５】Ａ    巾
Ｂ    高さ
１    設置誘導傾斜面
２    受け面
３    両面テープ
ａ    本考案フック
ｂ    キーボード
ｃ    モニター
【図１】
0003169764.tif 000003
【図２】
0003169764.tif 000004
【図３】
0003169764.tif 000005
【図４】
0003169764.tif 000006
【図５】
0003169764.tif 000007
【図６】
0003169764.tif 000008
【図７】
0003169764.tif 000009
【図８】
0003169764.tif 000010
【手続補正書】
【提出日】平成23年6月17日(2011.6.17)
【手続補正１】
【補正対象書類名】明細書
【補正対象項目名】００１４
【補正方法】変更
【補正の内容】
【００１４】
【図１】溶融樹脂等により成形した本考案フックの正面図
【図２】溶融樹脂等により成形した本考案フックの側面図
【図３】溶融樹脂等により成形した本考案フックの斜視図
【図４】硬質な金属等の細長い平板を折り曲げて成形した本考案フックの側面図
【図５】硬質でない樹脂等の細長い平板を折り曲げて成形した本考案フックの側面図
【図６】受け面を折りたためるようにした本考案フックの側面図
【図７】本考案フックをモニターに取り付けキーボードを置いた状態のモニターの正面図
【図８】本考案フックをモニターに取り付けキーボードを置いた状態のモニターの側面図